(57)【要約】【課題】簡単な操作で紙幣収納庫から現金輸送車の紙幣格納庫に一括して紙幣を回収できるようにし、短時間で効率よく紙幣を回収することを可能にする。【解決手段】入金機から取外した紙幣格納庫９０６の格納口に開口部を対向させて紙幣収納庫３０４を収納庫セット台にセットした状態で、操作レバーの操作により引出し爪１６０１ａ、１６０１ｂが紙幣収納庫３０４に進入して集積板５０３の係合部１６０２ａ、１６０２ｂを通過させた後、紙幣格納庫９０６に戻すと、引出し爪１６０１ａ、１６０１ｂが係合部１６０２ａ、１６０２ｂに係合して、集積板５０３と共に紙幣Ｂを紙幣収納庫３０４内から紙幣格納庫９０６内に移動させて回収する。【選択図】図１８
2010282515.tif 000002
【特許請求の範囲】
【請求項１】
店舗等に設置され現金取扱装置に装着され、該現金取扱装置に入金された紙幣を収納する紙幣収納庫と、
側部に係合部を有し、前記収納庫内に保持され、前記収納庫の開口部から収納する紙幣を集積する集積板と、
紙幣格納庫と、
該紙幣格納庫に設けられた操作レバー、及び該操作レバーに連結させて紙幣格納庫内に設けられた係合手段と、
前記紙幣格納庫の格納口側に位置するように設けられ、前記現金取扱装置から取外した前記紙幣収納庫をセットするための収納庫セット台を具備し、
前記紙幣格納庫の格納口に開口部を対向させて前記紙幣収納庫を前記収納庫セット台にセットした状態で、前記操作レバーの操作により前記係合手段を前記紙幣収納庫に進入させると、前記係合手段が前記集積板の係合部に係合して、前記集積板と共に紙幣を前記紙幣収納庫内から前記紙幣格納庫内に移動させて回収するようにしたことを特徴とする紙幣回収システム。
【請求項２】
請求項１記載の紙幣回収システムにおいて、
前記紙幣格納庫の前記格納口付近の内壁に移動可能な係止爪を設け、
前記係合手段により前記紙幣収納庫内から前記紙幣格納庫内に前記集積板を移動させて回収したとき前記係止爪が前記集積板の係合部に係合して、前記集積板を前記格納口を塞ぐように係止固定することを特徴とする紙幣回収システム。
【請求項３】
請求項１記載の紙幣回収システムにおいて、
前記集積板は前記紙幣収納庫内に設けられたバックアップ板に連結軸を介して連結保持され、
前記係合手段により前記集積板が前記紙幣格納庫内に回収されるとき、前記バックアップ板も前記連結軸と共に前記紙幣格納庫内に移動し、前記集積板が前記紙幣格納庫内に回収されてから前記集積板を前記連結軸から切り離すようにしたことを特徴とする紙幣回収システム。
【請求項４】
請求項３記載の紙幣回収システムにおいて、
前記連結軸は前記バックアップ板に設けられた透孔を貫通させて装着され、かつ軸方向の途中で曲折可能な構造を備え、
前記集積板は前記連結軸に連結する連結部を有し、
前記紙幣格納庫の前記格納口に固定された前記集積板と同様の別の集積板が、前記格納口に固定された前記集積板と前記バックアップ板との間に挿入されると、その挿入された集積板により前記連結部が押されて曲折し、前記格納口に固定された前記集積板との連結を解除して前記挿入された集積板の連結部に連結するようにしたことを特徴とする紙幣回収システム。
【請求項５】
請求項１〜請求項４のいずれか１項記載の紙幣回収システムにおいて、
前記集積板に紙幣回収時に前記紙幣収納庫を取外した紙幣取扱装置を特定するための識別情報を付与したことを特徴とする紙幣回収システム。
【請求項６】
請求項１〜請求項６のいずれか１項記載の紙幣回収システムにおいて、
前記紙幣収納庫に窓孔を設けると共に前記紙幣収納庫内に前記開口部を塞ぐ蓋をロックする移動可能なロックレバーを設け、
前記収納庫セット台には前記紙幣格納庫がセットされたときに前記窓孔から前記紙幣収納庫内に入込んで前記蓋のロックを解除するように前記ロックレバーを回動させる蓋解除バーを設けたことを特徴とする紙幣回収システム。
【請求項７】
店舗等に設置され現金取扱装置に装着され、該現金取扱装置に入金された紙幣を開口部から収納する紙幣収納庫であって、
側部に係合部を有していて前記開口部から収納する紙幣を集積する集積板を内部に備え、
紙幣格納庫の格納口側に位置するように設けられた収納庫セット台に前記紙幣格納庫の格納口に前記開口部を対向させてセット可能とし、
前記現金取扱装置から取外した後、前記収納庫セット台にセットした状態で前記紙幣格納庫に設けられた操作レバーを操作して、該操作レバーに連結された係合手段を前記集積板の係合部が係合し、前記係合手段により前記集積板と共に紙幣が前記紙幣格納庫内に移動して回収されるようにしたことを特徴とする紙幣収納庫。
【請求項８】
側部に係合部を有し、前記収納庫内に保持され、前記収納庫の開口部から収納する紙幣を集積する集積板と、格納口と、操作レバーと、該操作レバーに連結させて内部に設けた係合手段を有する紙幣格納庫であって、
店舗等に設置された現金取扱装置から取外した紙幣収納庫を、格納口側に位置するように収納庫セット台にセットして、前記紙幣収納庫の開口部を前記格納口と対向させ状態で、前記操作レバーの操作により前記係合手段を前記紙幣収納庫に進入させると、前記係合手段が前記紙幣収納庫に保持されている集積板の両側部に設けられた係合部に係合して、前記集積板と共に紙幣を前記紙幣収納庫内から移動させて回収するようにしたことを特徴とする紙幣格納庫。
【発明の詳細な説明】
【技術分野】
【０００１】
本発明は、店舗等に設置された現金取扱装置の売上金等が収納されている紙幣収納庫から紙幣を一括して回収装置内に回収するための紙幣回収システムに関する。
【背景技術】
【０００２】
各種の物品販売店の店舗においては、売上金等を入金する入金機（現金取扱装置）を設置し、この入金機に売上金等を入金させるようにしており、このような各店舗の入金機から売上金等を回収するために現金輸送車を各店舗に巡回させて回収するシステムが普及している。
【０００３】
この種のシステムでは、入金機から売上金等を回収する際、売上金等が収納されているカセットタイプの紙幣収納庫を入金機から取外し、空の紙幣収納庫と交換して、紙幣収納庫ごと回収するようにしており、そのため現金輸送車１回の巡回で複数の入金機から売上金等を回収しようとすると、回収する台数分の空の紙幣収納庫を現金輸送車で運搬することが必要になるという不都合がある。
【０００４】
このような不都合を改善するために、入金処理機能を持つ紙幣回収装置を現金輸送車に搭載し、入金機から取外した紙幣収納庫から現金輸送車に搭載した紙幣回収装置に装着して、その紙幣回収装置から１枚ずつ紙幣を繰出して金種等の鑑別と計数を行った後、紙幣回収装置に内蔵されている回収用収納庫に収納することで、紙幣のみを現金輸送車に移し替えるシステムが提案されている（例えば、特許文献１参照）。
【先行技術文献】
【特許文献】
【０００５】
【特許文献１】特開２００７−３４５２２号公報
【発明の概要】
【発明が解決しようとする課題】
【０００６】
しかしながら、上述した従来の技術においては、紙幣を現金輸送車に移し替える際、入金機から取外した紙幣収納庫から現金輸送車に搭載した紙幣回収装置に装着して、その紙幣回収装置から１枚ずつ紙幣を繰出して金種等の鑑別と計数を行うために回収処理に時間がかかり、回収効率が悪いという問題がある。
【０００７】
本発明は、このような問題を解決することを課題とする。
【課題を解決するための手段】
【０００８】
そのため、本発明の紙幣回収システムは、店舗等に設置され現金取扱装置に装着され、該現金取扱装置に入金された紙幣を収納する紙幣収納庫と、両側部に係合部を有し、前記収納庫内に着脱自在に保持され、前記収納庫の開口部から収納する紙幣を集積する集積板と、複数の店舗等を巡回する現金輸送車に搭載された紙幣格納庫と、該紙幣格納庫に設けられた操作レバー、及び該操作レバーに連結させて紙幣格納庫内に設けられた回動可能な引出し爪と、前記紙幣格納庫の格納口側に位置するように現金輸送車に設けられ、前記現金取扱装置から取外した前記紙幣収納庫をセットするための収納庫セット台を具備し、前記紙幣格納庫の格納口に開口部を対向させて前記紙幣収納庫を前記収納庫セット台にセットした状態で、前記操作レバーの操作により前記引出し爪を前記紙幣収納庫に進入させて前記集積板の係合部を通過させた後、前記紙幣格納庫に戻すと、前記引出し爪が前記集積板の係合部に係合して、前記集積板と共に紙幣を前記紙幣収納庫内から前記紙幣格納庫内に移動させて回収するようにしたことを特徴とする。
【発明の効果】
【０００９】
このようにした本発明は、現金取扱装置から取外した紙幣収納庫を現金輸送車に搭載された収納庫セット台にセットし、操作レバーの簡単な操作で紙幣収納庫から現金輸送車の紙幣格納庫に一括して紙幣を短時間に移し替えて回収することができるため、回収処理に時間がかからず、効率よく紙幣の回収を行うことができるという効果が得られる。
【００１０】
また、紙幣を回収した紙幣収納庫を次の現金取扱装置の回収で使用することができるので、最初に交換する１個の紙幣収納庫だけを現金輸送車に搭載するだけで巡回することができ、１回の出動で多数の入金機から紙幣を回収することが可能となる。
【図面の簡単な説明】
【００１１】
【図１】現金輸送の説明図
【図２】入金機の外観を示す斜視図
【図３】入金機内部の構成を示す概略図
【図４】紙幣収納庫に紙幣を収納する仕組みを示す概略断面図
【図５】紙幣収納庫の斜視図
【図６】入金機内に紙幣収納庫を装着するための構造を示す斜視図
【図７】紙幣収納庫の蓋をロックする構造を示す側断面図
【図８】収納庫固定部を固定する構造を示す側断面図
【図９】現金輸送車の構造を示す斜視図
【図１０】紙幣格納庫と収納庫セット台を示す斜視図
【図１１】紙幣収納庫を収納庫セット台にセットした状態を示す斜視図
【図１２】紙幣回収システムの実施例を示す概略側断面図
【図１３】紙幣収納庫から紙幣を紙幣格納庫に回収する手順を示す概略側断面図
【図１４】紙幣収納庫から紙幣を紙幣格納庫に回収する手順を示す概略側断面図
【図１５】紙幣支え部の詳細を説明するための要部斜視図
【図１６】集積板を示す斜視図
【図１７】紙幣収納庫の内部構造の詳細を示す側断面図
【図１８】紙幣格納庫の紙幣回収部の構造と紙幣収納庫との関係を示す側断面図
【図１９】実施例の主要部による紙幣回収時の動作を示す側断面図
【図２０】実施例の主要部による紙幣回収時の動作を示す側断面図
【図２１】実施例の主要部による紙幣回収時の動作を示す側断面図
【図２２】実施例の主要部による紙幣回収時の動作を示す側断面図
【図２３】実施例の主要部による紙幣回収時の動作を示す側断面図
【図２４】実施例の主要部による紙幣回収時の動作を示す側断面図
【図２５】実施例の主要部による紙幣回収時の動作を示す側断面図
【図２６】実施例の主要部による紙幣回収時の動作を示す側断面図
【図２７】紙幣格納庫内に集積板を係止する構造を示す側断面図
【発明を実施するための形態】
【００１２】
以下、図面を参照して本発明による紙幣回収システムの実施例を説明する。
【実施例１】
【００１３】
まず、実施例が適用される現金回収のための現金輸送について説明する。図１は現金輸送の説明図で、現金輸送車１０１により物品販売店等の店舗１０３に設置された入金機（現金取扱装置）１０４から現金が回収され、現金センタ１０２に搬送される。また、入金機１０４と現金センタ１０２は、電話回線１０５により接続され、入金機１０４から現金センタ１０２に対して稼働状況を報告したり現金を回収するときに回収金額やその金種内訳等を報告するものとなっている。
【００１４】
図２は入金機の外観を示す斜視図であり、ここでは紙幣の入金機の例を示している。  入金機１０４には紙幣入金口２０１が設けられ、この紙幣入金口２０１から売上金等の紙幣を入金することができる。紙幣の入金は操作部２０３を操作することで行われ、入金した結果は、レシートプリンタ２０４によりレシートに印字して操作者に出力される。入金機１０４の前面には、扉２０５が設けられており、必要に応じて扉２０５を開き、入金された紙幣を収納している紙幣収納庫を取出すことができる。
【００１５】
図３は入金機１０４内部の構成を示す概略図で、紙幣入金口２０１に投入された紙幣は、１枚ずつ繰り出されて紙幣計数部３０２により計数され、紙幣一時保留部３０３に集積される。投入されたすべての紙幣の計数が完了すると、紙幣一時保留部３０３に集積された紙幣はその下側に配置された紙幣収納庫３０４に収納される。
【００１６】
図４は紙幣一時保留部３０３から紙幣収納庫３０４に紙幣を収納する仕組みを示す概略断面図で、紙幣計数部３０２の紙幣搬送路５０１により、搬送された紙幣Ｂは紙幣一時保留部３０３に搬送され送込まれる。この紙幣一時保留部３０３の底部には紙幣収納庫３０４との間を仕切る仕切板５０２ａ、５０２ｂが設けられていて、紙幣一時保留部３０３に送込まれた紙幣Ｂはこの仕切り板５０２ａ、５０２ｂ上に集積されて一時保留される。  仕切り板５０２ａ、５０２ｂは下方に回動するように構成され、仕切り板５０２ａ、５０２ｂがそれぞれ回動して紙幣一時保留部３０３の底部を開放することにより、紙幣Ｂは紙幣収納庫３０４内に落下して収納される。
【００１７】
この紙幣収納庫３０４は、紙幣一時保留部３０３から落下する紙幣Ｂを集積させるための集積板５０３と、この集積板５０３を着脱可能に連結したバックアップ板５０４と、収納した紙幣Ｂの量に応じてバックアップ板５０４の位置を調整するバックアップ板位置調整機構５０５等によって構成されており、紙幣一時保留部３０３から紙幣収納庫３０４に落下した紙幣Ｂは、集積板５０３を介してバックアップ板５０４により受止められるが、その際バックアップ板位置調整機構５０５がスプリングによりバックアップ板５０４および集積板５０３の位置を調整することで、落下したすべての紙幣Ｂが紙幣収納庫３０４の内部に収納されるようになっている。
【００１８】
紙幣一時保留部３０３から紙幣収納庫３０４への紙幣Ｂの収納が完了すると、仕切り板５０２ａ、５０２ｂが元の位置に戻り、紙幣一時保留部３０３の底部を閉じる。
【００１９】
以上のようにして入金機１０４に投入された紙幣は、すべて紙幣収納庫３０４に収納され、この入金機１０４から入金された紙幣を回収するときは、図２に示した入金機１０４の扉２０５を開いて紙幣収納庫３０４を抜取る。
【００２０】
図５は紙幣収納庫３０４の斜視図で、この図に示したように紙幣収納庫３０４の上端は、紙幣一時保留部３０３から落下する紙幣Ｂを受け入れるための開口部７０１として形成されており、この開口部７０１を閉じる蓋７０２は取手部７０２ａを有し、この取手部７０２ａを持って蓋７０２を紙幣収納庫３０４に設けられている蓋挿入部に挿入することによって開口部７０１を閉じることができ、紙幣収納庫３０４を入金機１０４から取り外すときは、蓋７０２を紙幣収納庫３０４に装着して取外す。
【００２１】
ここで紙幣収納庫３０４の密閉性について説明する。本実施例における紙幣収納庫３０４は、入金機１０４から取外すとき、運搬するとき、及び現金輸送車１０１に搭載された後述する紙幣格納庫に紙幣を回収するとき等に誤って蓋７０２が開いたり、あるいは故意に蓋７０２を開いて現金が取出せないような構造になっている。
【００２２】
すなわち、紙幣収納庫３０４の紙幣の出し入れは上端部の開口部７０１によってのみ可能になっている。この開口部７０１は蓋７０２により閉止されるが、この蓋７０２は紙幣収納庫３０４に装着しないと入金機１０４や、後述する現金輸送車１０１の紙幣格納庫９０６のセット台９０８等から紙幣収納庫３０４が取外せず、また紙幣収納庫３０４を入金機１０４やセット台９０８にセットしないと蓋７０２が紙幣収納庫３０４から取外せないようにロックする構造が採用されている。この構造については後で説明する。
【００２３】
図６は入金機１０４内に紙幣収納庫３０４を装着するための構造を示す斜視図で、入金機１０４内には紙幣収納庫３０４をセットする収納庫セット台１８０１が設けられている。同図（ａ）に示したように収納庫セット台１８０１はセットプレート部１８０６とこのセットプレート部１８０６の下部に設けられた断面コの字形のガイドプレート部１８０５を有し、紙幣収納庫３０４を入金機１０４に装着するときは入金機１０４の扉２０５を開き、紙幣収納庫３０４を破線で示した矢印１８０２方向にガイドプレート部１８０５に沿ってセットプレート部１８０６に突当るまで押込むものとなっている。セットプレート部１８０６には、蓋解除バー１８０３ａ、１８０３ｂ及びその中間に位置する収納庫固定部１８０４が設けられており、紙幣収納庫３０４を収納庫セット台１８０１に押込むと、蓋解除バー１８０３ａ、１８０３ｂ及び収納庫固定部１８０４が紙幣収納庫３０４の内部に挿入される。
【００２４】
また、同図（ｂ）に示したように紙幣収納庫３０４のセットプレート部１８０６側の内壁面には蓋解除バー１８０３ａ、１８０３ｂ及び収納庫固定部１８０４に対応する３本の中空上のガイド２１０１が平行に設けられ、これらのガイド２１０１は、紙幣収納庫３０４に収納される紙幣Ｂをガイドする機能と共に、紙幣収納庫３０４を収納庫セット台１８０１に押込んだときに紙幣収納庫３０４の内部に進入してくる蓋解除バー１８０３ａ、１８０３ｂ及び収納庫固定部１８０４を保護して紙幣Ｂを収納するときに障害になることを防止している。また、紙幣収納庫３０４のセットプレート部１８０６側の内壁には蓋解除バー１８０３ａ、１８０３ｂ及び収納庫固定部１８０４をそれぞれガイド２１０１内に出入させるための後述する窓孔が設けられている。
【００２５】
図７は紙幣収納庫３０４の蓋７０２をロックする構造を示す側断面図で、紙幣収納庫３０４の開口部７０１は、蓋７０２を矢印１９０２方向に挿入して装着することにより閉じることができる。蓋７０２の先端部には係合部７０２ｂが下方に曲折形成され、前記３本のガイド２１０１のうちの両側２本のガイド２１０内には蓋ロックレバー１９０１が回転可能に軸支されている。この蓋ロックレバー１９０１は図示しないトーションスプリング等により矢印１９０３方向に付勢されており、同図（ａ）に示したように蓋７０２を装着した状態では蓋ロックレバー１９０１の先端が蓋７０２の係合部７０２ｂに係合して蓋７０２をロックし、これにより蓋７０２を引抜いて取外すことができないようにしている。
【００２６】
紙幣収納庫３０４のセットプレート部１８０６側の内壁には蓋解除バー１８０３ａ、１８０３ｂをガイド２１０１内に出入させる窓孔１９０４が設けられ、紙幣収納庫３０４を紙幣ガイドプレート部１８０５に沿って矢印１８０２方向に装着すると、窓孔１９０４から蓋解除バー１８０３ａ、１８０３ｂがそれぞれガイド２１０１内に進入する。そして紙幣収納庫３０４をガイドプレート部１８０５に沿ってセットプレート部１８０６まで押込むと、同図（ｂ）に示したようにガイド２１０１内に進入した蓋解除バー１８０３が蓋ロックレバー１９０１の後端を矢印１９０７方向に押上げて、蓋ロックレバー１９０１を回動させ、その結果、蓋ロックレバー１９０１の先端が蓋７０２の係合部７０２ｂから外れて蓋７０２のロックが解除される。ロックが解除された蓋７０２は、同図（ｃ）に示したように矢印１９０８方向にスライドして引抜き、開口部７０１を開放することができる。
【００２７】
以上のように収納庫セット台１８０１に紙幣収納庫３０４を押込むことで、紙幣収納庫３０４の蓋７０２は抜取ることができる。
【００２８】
一方、このとき紙幣収納庫３０４は収納庫固定部１８０４により収納庫セット台１８０１に固定され、取外しできなくなる。次にその構造を説明する。図８は収納庫固定部１８０４を固定する構造を示す側断面図で、収納庫固定部１８０４の一側には収納庫ロックレバー２００１が軸支されていて、この収納庫ロックレバー２００１は図示しないトーションスプリング等により同図（ａ）に示したように矢印２００２方向に付勢されており、そして紙幣収納庫３０４のセットプレート部１８０６側の内壁には収納庫固定部１８０４を中央のガイド２１０１内に出入させる窓孔２００４が設けられている。
【００２９】
ここで、前記のように紙幣収納庫３０４がガイドプレート部１８０５に沿って矢印１８０２方向に押込まれると、収納庫固定部１８０４が窓孔２００４からガイド２１０１内に進入し、その際、収納庫ロックレバー２００１は窓孔２００４の内面により押下げられて、矢印２００５方向に回動する。そして、同図（ｂ）に示したように紙幣収納庫３０４が前記のようにセットプレート部１８０６に突当るまで押込まれると、収納庫ロックレバー２００１は紙幣収納庫３０４の蓋７０２の先端部下側に入込む。
【００３０】
この状態で前記のように蓋７０２が矢印２００６方向に引抜かれると、同図（ｃ）に示したように収納庫ロックレバー２００１はトーションスプリング等により矢印２００２方向に回動して紙幣収納庫３０４の内壁に係合し、これにより紙幣収納庫３０４を収納庫セット台１８０１から取外せないように固定する。
【００３１】
以上のように紙幣収納庫３０４を収納庫セット台１８０１に押込むと、紙幣収納庫３０４の蓋７０２の引抜きが可能になり、そして蓋を引抜くと同時に紙幣収納庫３０４が収納庫セット台１８０１に固定される。
【００３２】
紙幣収納庫３０４内の紙幣の回収時に蓋７０２を紙幣収納庫３０４に挿入すると、蓋７０２の先端により収納庫ロックレバー２００１の先端が押下げられ、図８（ｂ）のように紙幣収納庫３０４の内壁から収納庫ロックレバー２００１が外れるので、紙幣収納庫３０４を収納庫セット台１８０１から取外し可能になり、そして紙幣収納庫３０４を収納庫セット台１８０１から取外すことにより蓋解除バー１８０３が紙幣収納庫３０４から抜かれると、図７（ａ）のように蓋ロックレバー１９０１が回動して蓋７０２をロックし、蓋７０２の抜取りが阻止される状態になる。
【００３３】
図９は現金輸送車１０１の構造を示す斜視図で、図示したように現金輸送車１０１の後扉９０１を開くと、内部は隔壁９０２により後方の処理室９０３と前方の収納室９０４に分けられていて、収納室９０４の内部には紙幣格納庫９０６が設置されており、紙幣格納庫９０６の格納口９０７が隔壁９０２からやや突出すように設けられている。また、処理室９０３には収納庫セット台９０８が格納口９０７と対応するように設けられており、更に隔壁９０２沿って移動するシャッタ９０９が設けられていて、操作するとき以外は格納口９０７等をシャッタ９０９で閉じることができるようになっている。
【００３４】
現金輸送車１０１が店舗１０３からの回収作業を完了して現金センタ１０２に戻ったときは、シャッタ９０９を開いて収納室９０４から紙幣格納庫９０６を取出し、紙幣格納庫９０６に格納されている紙幣を計数して入金機１０４毎や流通店舗毎に集計する。
【００３５】
図１０は紙幣格納庫９０６と収納庫セット台９０８を示す斜視図で、紙幣格納庫９０６は図９に示した処理室９０３側と収納室９０４側とが一点鎖線で示す位置で隔壁９０２により仕切られ、格納口９０７が処理室９０３側で開口するようにしている。格納口９０７と対応するように処理室９０３側に配置された収納庫セット台９０８には紙幣収納庫３０４を位置決めするための凹部状の収納庫セット部１００１が設けられ、紙幣収納庫３０４から紙幣格納庫９０６に紙幣を回収するときは、紙幣収納庫３０４を収納庫セット部１００１により位置決めして収納庫セット台９０８にセットするものとなっている。
【００３６】
この収納庫セット部１００１には、前記入金機１０４における収納庫セット台１８０１のセットプレート部１８０６に設けられている蓋解除バー１８０３ａ、１８０３ｂ及び収納庫固定部１８０４と同様の図示しない蓋解除バー及び収納庫固定部が設けられていて、紙幣収納庫３０４を収納庫セット台９０８に押込むと、前記図７での説明と同様に蓋７０２のロックが解除されて引抜きが可能になり、そして蓋７０２を引抜くと同時に紙幣収納庫３０４がロックされて収納庫セット台９０８に固定されるものとなっている。また紙幣収納庫３０４に蓋７０２を収納庫に挿入すると、前記図８での説明と同様に紙幣収納庫３０４のロックが解除されて収納庫セット台９０８からの取外し可能になり、そして紙幣収納庫３０４を収納庫セット台９０８から取外すと蓋７０２がロックされて抜取りができなくなる。
【００３７】
図１１は紙幣収納庫３０４を収納庫セット台９０８にセットした状態を示す斜視図で、紙幣収納庫３０４を開口部７０１が紙幣格納庫９０６の格納口９０７と対向するように収納庫セット台９０８の収納庫セット部９０８にセットすると、前記のように紙幣収納庫３０４の蓋７０２のロックが解除されるので、この蓋７０２を引抜くことで紙幣収納庫３０４の開口部７０１が開放され、同時に紙幣収納庫３０４を収納庫セット台９０８から外せないように固定される。
【００３８】
紙幣格納庫９０６内には操作レバー１１０１が設けられており、その操作部が紙幣格納庫９０６の外側に露出している。後述する構造により操作レバー１１０１を手前側つまり矢印１１０２の方向に引いた後、操作レバー１１０１を押し戻すことにより紙幣収納庫３０４から収納されている紙幣Ｂを一括して取出し、紙幣格納庫９０６に移動して回収することができるようにしている。
【００３９】
この場合、蓋７０２の取手部７０２ａは操作レバー１１０１を矢印１１０２方向に引くときにその通過を妨害する位置にあって、蓋７０２を抜かないと操作レバー１１０１が矢印１１０２方向に引けない構造とし、これにより蓋７０２を抜き忘れたまま、操作レバー１１０１を引くという誤操作を防止するようにしており、また操作レバー１１０１を戻さないと蓋７０２を紙幣収納庫３０４に装着することができず、紙幣収納庫３０４は収納庫セット台から外せないので、操作レバー１１０１により紙幣Ｂを移動している途中で紙幣回収庫３０４を取外してしまうという誤操作を防止できるものとなっている。
【００４０】
図１２は紙幣回収システムの実施例を示す概略側断面図で、前記のように紙幣収納庫３０４は開口部７０１が紙幣格納庫９０６の格納口９０７と対向するように収納庫セット台９０８から外せないように固定されており、紙幣収納庫３０４の格納口９０７の上端には集積板挿入窓１２０３が設けられている。
【００４１】
ここで、紙幣格納庫９０６にはすでに別の入金機の紙幣格納庫９０６から回収した紙幣Ｂａが収納され、紙幣Ｂａはその回収単位毎に集積板５０３ａ、５０３ｂにより区分けされている。これらの紙幣Ｂａと集積板５０３ａ、５０３ｂは紙幣格納庫９０６内に設けられたバックアップ機構１２０１により格納口９０７方向に押圧され、最後に格納された集積板５０３ａが常に格納口９０７を閉塞するようになっている。
【００４２】
前記のように蓋７０２を引き抜くと、紙幣収納庫３０４の開口部７０１が開放されると共に、操作レバー１１０１を操作して紙幣収納庫３０４の紙幣Ｂを紙幣格納庫９０６に移動することができるようになる。
【００４３】
この操作レバー１１０１には紙幣格納庫９０６に位置する紙幣回収部１２０２（図１５参照）が取り付けられており、操作レバー１１０１を操作することにより紙幣回収部１２０２が紙幣格納庫９０６の内部から紙幣収納庫３０４の内部に移動し、紙幣収納庫３０４内にある集積板５０３を引掛ける構造となっている。
【００４４】
また、操作レバー１１０１には紙幣格納庫９０６に位置する紙幣支え部１２０５が設けられていて、紙幣収納庫３０４から紙幣格納庫９０６に紙幣Ｂを移動するとき、紙幣支え部１２０５により紙幣格納庫９０６の格納口９０７等に紙幣Ｂが引掛らないように紙幣Ｂを支える構造となっている。この紙幣支え部１２０５については後で詳細に説明する。
【００４５】
上述した構成による実施例の作用を説明する。図１３及び図１４は紙幣収納庫３０４の紙幣Ｂを紙幣格納庫９０６に回収する手順を示す概略側断面図である。図１３（ａ）に示したように操作レバー１１０１を矢印１１０２方向に移動させて紙幣回収部１２０２を紙幣収納庫３０４の内部に進入させ、紙幣収納庫３０４の最も奥に到達させた後、同図（ｂ）に示したように操作レバー１１０１を戻して行く。紙幣回収部１２０２が集積板５０３の位置まで戻ると、紙幣回収部１２０２が集積板５０３に引掛るので、更に操作レバー１１０１を同図（ｃ）に示したように初期位置まで戻すと、紙幣回収部１２０２は集積板５０３を引っかけたままその前方にある紙幣Ｂと一緒に紙幣格納庫９０６内に移動させて収納するが、このとき紙幣Ｂの下端部は紙幣支え部１２０５により支えられて紙幣収納庫３０４から紙幣格納庫９０６内にスムーズに移動する。
【００４６】
このようにして紙幣Ｂを集積板５０３と共に紙幣格納庫９０６内にスムーズに移動させると、このときすでに紙幣格納庫９０６に収納されている紙幣Ｂａと集積板５０３ａ、５０３ｂは紙幣Ｂによりさらに紙幣格納庫９０６内部の奥に押込まれ、これによりバックアップ機構１２０１は連動して収縮し、紙幣Ｂ、集積板５０３が紙幣格納庫９０６に回収されるが、このとき紙幣収納庫３０４のバックアップ板５０４は集積板５０３と連結されているので、集積板５０３と共に紙幣回収部１２０２により開口部７０１側に移動する。
【００４７】
図１４（ａ）に示したようにこの格納口９０７の上端には集積板挿入窓１２０３が設けられていて、この集積板挿入窓１２０３からは新しい集積板５０３ｃを集積板５０３とバックアップ板５０４との間に挿入することができるので、前記のように集積板５０３とバックアップ板５０４が紙幣格納庫９０６に収納されたら、集積板挿入窓１２０３から新しい集積板５０３ｃを矢印１２０４に沿って集積板５０３とバックアップ板５０４との間に挿入すると、この集積板５０３ｃにより集積板５０３とバックアップ板５０４との連結が解除されると共に、新たに集積板５０３ｃがバックアップ板５０４に連結される。
【００４８】
こうして集積板５０３との連結が解除され、新たに集積板５０３ｃと連結したバックアップ板５０４は、同図（ｂ）に示したようにバックアップ板位置調整機構５０５により紙幣収納庫３０４の内部に引き戻され、同時に集積板５０３ｃも紙幣収納庫３０４内に収納される。
【００４９】
以上のようにして、紙幣収納庫３０４から紙幣格納庫９０６への紙幣Ｂの移動、回収が完了した後、同図（ｃ）に示したように紙幣収納庫３０４に蓋７０２を装着すると、紙幣収納庫３０４のロックが解除されるので、紙幣収納庫３０４を収納庫セット台９０８から取り外す。取り外した紙幣収納庫３０４は、一旦現金輸送車１０１の処理室９０３内に保管され、現金輸送車１０１が次の店舗１０３を訪問し、その店舗１０３に設置してある入金機１０４から現金を回収する際、その入金機１０４の紙幣収納庫３０４と交換される。これにより１個の紙幣収納庫３０４を現金輸送車１０１に搭載するだけで各店舗１０３の入金機１０４から順次紙幣の回収を行うことができる。
【００５０】
図１５は紙幣支え部１２０５の詳細を説明するための要部斜視図であり、紙幣支え部１２０５は前記のように紙幣格納庫９０６に紙幣を移動するとき、紙幣Ｂを支えて紙幣格納庫９０６の入口等に引掛からないようにするために設けられていることは既に説明した通りである。
【００５１】
この図１５に示したように紙幣収納庫３０４を収納庫セット台９０８にセットしたとき、紙幣収納庫３０４に収納されている紙幣Ｂは紙幣収納庫３０４内に設けられている３本の平行なガイド２１０１とバックアップ板５０４に連結された集積板５０３により保持されており、この３本の平行なガイド２１０１と端面が対向するように紙幣格納庫９０６の底面２１０２は３つに分割されており、これにより形成されるレール状部分の間に紙幣支え部１２０５が配置されている。
【００５２】
また、操作レバー１１０１は操作部と反対側の端部が枠状に形成され、この枠状部分の下部がレール状部分に設けられた長孔に移動自在に配置されていて、この枠状部分の下部に紙幣支え部１２０５の下面が取付けられている。一方、紙幣回収部１２０２は紙幣収納庫３０４の奥に進入した後、集積板５０３を引掛けて紙幣格納庫９０６の内部に戻るように移動させるため、前記枠状部分の両側部から格納口９０７側に突出するように設けられている。
【００５３】
そこで図１５（ａ）に示した状態において、操作レバー１１０１を矢印１１０２方向（図１３（ａ）参照）に引くと、図１５（ｂ）に示したように紙幣支え部１２０５が紙幣収納庫３０４内の３本のガイド２１０１間に進入して紙幣Ｂの下側に入込む。
【００５４】
次に操作レバー１１０１を矢印１１０２（図１３（ｃ）参照）のように戻すとき、紙幣Ｂの下側に進入した紙幣支え部１２０５は集積板５０３、バックアップ板５０４、及び紙幣Ｂと共に紙幣格納庫９０６側に移動する。このとき、紙幣収納庫３０４のガイド２１０１、紙幣支え部１２０５、紙幣格納庫９０６の底面２１０２は順次高さが低くなるように配置されており、紙幣Ｂの移動に伴って、紙幣Ｂが側壁から紙幣支え部１２０５、底面２１０２と順に下方にずれながらスムーズに移動することができ、これにより紙幣Ｂが移動するとき紙幣格納庫９０６の格納口９０７に引掛って脱落することを防止することができる。
【００５５】
次に、実施例の主要部の詳細について説明する。
【００５６】
図１６は集積板５０３の斜視図で、この集積板５０３の中央部には短手方向の切欠部を設けて、その切欠部の突当たり面にバックアップ板５０４に連結させるための連結部１５０６を形成すると共に、両側部に長手方向の切欠部を設けてその切欠部の対向面に係合部１６０２ａ、１６０２ｂを形成した構造として、紙幣収納庫３０４から紙幣Ｂと集積板５０３を引出すとき、操作レバー１１０１の紙幣回収部１２０２が係合部１６０２ａ、１６０２ｂに係合するものとなっている。また集積板５０３の一部には、入金機１０４を特定するための識別情報としてバーコード１４０１が貼付けられており、このバーコードを現金センタ１０２等に登録することで、紙幣を回収した入金機１０４を特定することが可能になる。
【００５７】
但し、本実施例では紙幣収納庫３０４から紙幣を回収した後、その紙幣収納庫３０４を次の店舗の入金機１０４の紙幣収納庫３０４と交換することを想定しているので、前記のように紙幣回収時に装着する集積板５０３は次の店舗の入金機１０４を特定するバーコード１４０１を貼付けたものとする。
【００５８】
図１７は紙幣収納庫３０４の内部構造の詳細を示す側断面図で、この図では集積板５０３をバックアップ板５０４に連結保持する状態を説明するために集積板５０３を図１６のＸ−Ｘ断面で示している。
【００５９】
紙幣Ｂはバックアップ板５０４に連結保持された集積板５０３と、紙幣収納庫３０４の開口部７０１付近に回動可能に設けられた紙幣押え爪１５０１ａ、１５０１ｂとにより保持されている。すなわちバックアップ板５０４はバックアップ板位置調整機構５０５により、紙幣Ｂを紙幣押え爪１５０１ａ、１５０１ｂの方向に押圧し、紙幣Ｂの整列した状態を保っている。紙幣押え爪１５０１ａ、１５０１ｂは矢印１５０２ａ、１５０２ｂで示したように集積板５０３側に回動可能となっており、開口部７０１から紙幣Ｂを挿入する方向には回転して挿入可能となるが、紙幣Ｂを取出す方向には紙幣Ｂを抑えて阻止する。この紙幣押え爪１５０１ａ、１５０１ｂは図示しないトーションスプリング等により矢印１５０２ａ、１５０２ｂ方向と逆の方向に付勢されている。
【００６０】
バックアップ板５０４はスプリング１５０３ａ、１５０３ｂによりバックアップ板位置調整機構５０５と接続されており、バックアップ板５０４には集積板５０３を連結する連結軸１５０４が設けられその先端に形成された爪部が集積板５０３の連結部１５０６を引掛けて集積板５０３を連結保持している。この連結軸１５０４はバックアップ板５０４の中央部に設けられた透孔を貫通するように配置されていて、スプリング１５０５によってバックアップ板位置調整機構５０５側に付勢され、開口部７０１方向に移動可能となっている。また連結軸１５０４は長手方向の所定箇所で曲折できるようになっていて、バックアップ板５０４の透孔の内壁に圧接する板バネ等により直線状態を保持している。
【００６１】
図１８は紙幣格納庫９０６の紙幣回収部１２０２の構造と紙幣収納庫３０４との関係を示す側断面図で、この第１８図では集積板５０３を紙幣回収部１２０２により引出す手順を説明するために集積板５０３を図１６のＹ−Ｙ断面で示している。
【００６２】
紙幣回収部１２０２の先端部には集積板５０３と共に紙幣Ｂを紙幣収納庫３０４から引出すための引出し爪１６０１ａ、１６０１ｂが矢印１６０３ａ、１６０３ｂで示したように集積板５０３と逆側の方向に回動可能に取付けられており、この引出し爪１６０１ａ、１６０１ｂは図示しないトーションスプリング等により矢印１６０３ａ、１６０３ｂ方向と逆の方向に付勢されている。また、紙幣回収部１２０２の先端部上下には紙幣押え爪１５０１ａ、１５０１ｂを押圧して回動させるための押圧部１６０４ａ、１６０４ｂが形成されている。
【００６３】
図１９〜図２７は上述した実施例の主要部による紙幣回収時の動作を示す側断面図で、これらの図により前記のように紙幣回収部１２０２が取付けられている操作レバー１１０１を操作して紙幣回収部１２０２により集積板５０３の係合部１６０２ａ、１６０２ｂを引っかけて紙幣格納庫９０６内に格納するまでの手順を説明する。尚、図１９〜図２２では集積板５０３を図１６のＹ−Ｙ断面で示して説明を行う。
【００６４】
操作レバー１１０１を矢印１１０２（図１３参照）方向に操作すると、紙幣回収部１２０２が図１９に示したように矢印１６０５方向に紙幣収納庫３０４の開口部７０１から進入して、押圧部１６０４ａ、１６０４ｂにより紙幣押え爪１５０１ａ、１５０１ｂを矢印１５０２ａ、１５０２ｂ方向に回動させ、紙幣押え爪１５０１ａ、１５０１ｂから紙幣Ｂを開放する。
【００６５】
そして紙幣回収部１２０２が更に進入すると、図２０に示したように紙幣回収部１２０２の引出し爪１６０１ａ、１６０１ｂが集積板５０３の係合部１６０２ａ、１６０２ｂに当たって矢印１６０３ａ、１６０３ｂ方向に回動し、これにより引出し爪１６０１ａ、１６０１ｂが係合部１６０２ａ、１６０２ｂを通過する。その後、紙幣回収部１２０２を紙幣収納庫３０４の最も奥まで進入させてから（図１３参照）、操作レバー１１０１を戻す操作をして図２１に示したように紙幣回収部１２０２を矢印１６０５ａ方向に移動させると、紙幣回収部１２０２の引出し爪１６０１ａ、１６０１ｂが集積板５０３の係合部１６０２ａ、１６０２ｂに係合する。
【００６６】
ここからさらに矢印１６０５ａ方向に紙幣回収部１２０２を移動させると、図２２に示したように引出し爪１６０１ａ、１６０１ｂにより集積板５０３と共に紙幣Ｂが開口部７０１側に引出され、同時に集積板５０３は連結しているバックアップ板５０４を引出し、バックアップ板５０４はバックアップ板位置調整機構５０５を開口部７０１方向に引伸ばす。そして、更に紙幣回収部１２０２を矢印１６０５ａの方向に移動させると、バックアップ板位置調整機構５０５は、紙幣収納庫３０４内の所定の位置で停止し、それ以降はバックアップ板５０４と接続したスプリング１５０３ａ、１５０３ｂが開口部７０１方向に伸長し、これによって紙幣回収部１２０２が紙幣格納庫９０６の初期位置まで戻された状態となる。すなわち、集積板５０３は紙幣Ｂと共に紙幣収納庫３０４の開口部７０１から引出され、そして紙幣Ｂは紙幣格納庫９０６に既に回収されている集積板５０３ａに突当った後、更に紙幣回収部１２０２の移動により集積板５０３と共に紙幣格納庫９０６内に押込まれる。
【００６７】
このように紙幣回収部１２０２を紙幣格納庫９０６の初期位置まで戻した後、図２３に示したように新しい集積板５０３ｃを集積板挿入窓１２０３から集積板５０３とバックアップ板５０４との間に矢印１６０６方向に挿入すると、集積板５０３ｃは集積板５０３を矢印１６０５ａで示したように紙幣格納庫９０６内に更に押込みながら進入する。このとき、バックアップ板５０４の連結軸１５０４はスプリング１５０５を収縮させながら集積板５０３と共に矢印１６０５ａ方向に移動する。
【００６８】
そして、更に集積板５０３を矢印１６０６方向に挿入すると、図２４に示したように集積板５０３ｃは連結軸１５０４を連結部１５０６で押し下げ、連結軸１５０４の先端部側を矢印１６０８で示したように下方に回動させて連結軸１５０４を集積板５０３から切り離す。集積板５０３から切り離された連結軸１５０４は、スプリング１５０５の力で引き戻され、図２５に示したようにこのとき連結軸１５０４は矢印１６０９方向に回動して戻り、連結軸１５０４の先端の爪部が集積板５０３ｃの連結部１５０６に引掛かって係合し、これにより集積板５０３ｃはバックアップ板５０４に連結保持され、図２６に示したようにバックアップ板５０４と共にスプリング１５０３ａ、１５０３ｂにより紙幣収納庫３０４内に引込まれる。
【００６９】
以上で、紙幣収納庫３０４から紙幣格納庫９０６に集積板５０３と共に紙幣Ｂを回収する処理が完了するが、回収された集積板５０３により格納口９０７を塞いでその奥の紙幣Ｂが紙幣格納庫９０６の外部に落ちることを防止するために集積板５０３を確実に紙幣格納庫９０６に係止する必要がある。
【００７０】
図２７は紙幣格納庫９０６内の集積板５０３を係止する構造を示す側断面図で、紙幣格納庫９０６内の格納口９０７近傍の側壁（本図手前側と奥側）には矢印１７０２ａ、１７０２ｂで示すように回収された紙幣側に回動できるように集積板係止爪１７０１ａ、１７０１ｂが設けられており、これらの集積板係止爪１７０１ａ、１７０１ｂは図示しないトーションスプリング等により矢印１０７２ａ、１７０２ｂ方向と逆の方向に付勢されている。
【００７１】
前記図２３で説明したように新しい集積板５０３ｃを集積板５０３とバックアップ板５０４との間に挿入することで集積板５０３が矢印１６０５方向に移動するとき、集積板５０３の係合部１６０２ａ、１６０２ｂにより集積板係止爪１７０１ａ、１７０１ｂが押されて矢印１７０２ａ、１７０２ｂ方向に回動し、係合部１６０２ａ、１６０２ｂが通過すると、集積板係止爪１７０１ａ、１７０１ｂは係合部１６０２ａ、１６０２ｂに引掛かって係合する。これにより集積板５０３は格納口９０７を閉塞するように係止されるため、紙幣格納庫９０６内のバックアップ機構１２０１の押圧力によって紙幣Ｂおよび集積板５０３が紙幣格納庫９０６の外に飛び出すことを防止し、更に次の回収の際、紙幣回収部１２０２の引出し爪１６０１ａ、１６０１ｂが係合部１６０２ａ、１６０２ｂから離れても集積板５０３は格納口９０７に係止保持される。
【００７２】
以上説明した実施例によれば入金機から取外した紙幣収納庫を現金輸送車に搭載された収納庫セット台にセットし、操作レバーの簡単な操作で紙幣収納庫から現金輸送車の紙幣格納庫に一括して紙幣を短時間に移し替えて回収することができるため、回収処理に時間がかからず、効率よく紙幣の回収を行うことができるという効果が得られる。
【００７３】
また、紙幣を回収した紙幣収納庫を次の入金機の回収で使用することができるので、最初に交換する１個の紙幣収納庫だけを現金輸送車に搭載するだけで巡回することができ、１回の出動で多数の入金機から紙幣を回収することが可能となる。
【００７４】
また、紙幣収納庫から紙幣を取り出すとき、紙幣収納庫の底部に配置した集積板ごと取り出すので、紙幣収納庫の中の紙幣を取り残して次の入金機にセットしてしまう等の事故を防止することができ、更に紙幣収納庫から紙幣格納庫に紙幣を回収するとき、回収する紙幣と集積板とを同時に紙幣格納庫に移し替えるので、今回回収する紙幣が、既に紙幣格納庫に回収されている紙幣や、後から紙幣格納庫に格納される紙幣と混ざることも防止することができる。そのため、店舗の巡回が終わって現金センタに戻り、回収した現金を精算するとき、各入金機毎の切り分けが確実にできる。
【００７５】
また、紙幣収納庫から紙幣と共に集積板を紙幣格納庫に格納したとき、新しい集積板を装着することと連動して集積板が紙幣収納庫から外れるようにしたので、移し替えの途中で誤って紙幣収納庫を外してしまったり、一部の紙幣だけを移し替えて、残りを紙幣収納庫に戻してしまうことを防止することができる。
【００７６】
更にまた、集積板には入金機を特定するバーコードを貼り付け、これを事前に登録するようにしているため、回収した紙幣がどの入金機のものかを特定することができる。
【００７７】
尚、上述した実施例では、流通店舗に設置される入金機の場合を説明したが、入金機に限らず、釣銭準備金の出金と売上金の入金を１台で行う入出金機から現金を回収する場合にも適用でき、更に現金を取扱う装置から紙幣を回収するシステムであれば、例えば、金融機関に設置されるＡＴＭから現金を回収する場合にも応用できる。
【００７８】
前記バーコードを貼り付ける代わりに、区分するための情報が読み出せる媒体であれば、例えば、ＯＣＲ文字やＩＣタグ、磁気カードを用いることができる。
【００７９】
また、上述した実施例では、バックアップ板５０４に設けた連結軸１５０４の爪部が集積板５０３の連結部１５０６を引掛けて集積板５０３を連結保持するものとしたが、集積板５０３に回動可能な爪を設け、この爪が係合する係合部を連結軸１５０４に設けるものとしてもよい。
【００８０】
また、上述した実施例では、操作レバー１１０１に取り付けられた紙幣回収部１２０２の先端部に、集積板５０３と共に紙幣Ｂを紙幣収納庫３０４から引出すための回転可能な引出し爪１６０１ａ、１６０１ｂを設けるものとしたが、このような回転可能な引出し爪１６０１ａ、１６０１ｂに代えて、ドアノブに使用されているような横方向にスライドする引出し爪を紙幣回収部１２０２に設けると共に、この横方向にスライドする引出し爪と係合する係合部を集積板５０３に設けてもよく、また引出し爪と係合部の変わりにローラキャッチやボールキャッチのような構造を備えることも可能である。
【００８１】
更に、紙幣格納庫９０６や収納庫セット台１８０１を現金輸送車１０１に搭載せず、現金センタ１０２に設置すれば、紙幣収納庫３０４から紙幣をワンタッチで取出せるという効果がえられる。
【符号の説明】
【００８２】
１０１    現金輸送車
１０３    店舗
１０４    入金機（現金取扱装置）
３０４    紙幣収納庫
５０３    集積板
５０４    バックアップ板
５０５    バックアップ板位置調整機構
７０１    開口部
７０２    蓋
７０２ａ  取手部
７０２ｂ  係合部
９０６  紙幣格納庫
９０７  格納口
９０８  収納庫セット台
１１０１  操作レバー
１２０１  バックアップ機構
１２０２  紙幣回収部
１２０５  紙幣支え部
１４０１  バーコード
１５０３ａ、１５０３ｂ  スプリング
１５０４  連結軸
１５０５  スプリング
１５０６  連結部
１６０１ａ、１６０１ｂ  引出し爪
１６０２ａ、１６０２ｂ  係合部
１６０４ａ、１６０４ｂ  押圧部
１８０１  収納庫セット台
１８０３ａ、１８０３ｂ  蓋解除バー
１８０４  収納庫固定部
１９０１  蓋ロックレバー
１９０４  窓孔
２００１  収納庫ロックレバー
２００４  窓孔
【図１】
2010282515.tif 000003
【図２】
2010282515.tif 000004
【図３】
2010282515.tif 000005
【図４】
2010282515.tif 000006
【図５】
2010282515.tif 000007
【図６】
2010282515.tif 000008
【図７】
2010282515.tif 000009
【図８】
2010282515.tif 000010
【図９】
2010282515.tif 000011
【図１０】
2010282515.tif 000012
【図１１】
2010282515.tif 000013
【図１２】
2010282515.tif 000014
【図１３】
2010282515.tif 000015
【図１４】
2010282515.tif 000016
【図１５】
2010282515.tif 000017
【図１６】
2010282515.tif 000018
【図１７】
2010282515.tif 000019
【図１８】
2010282515.tif 000020
【図１９】
2010282515.tif 000021
【図２０】
2010282515.tif 000022
【図２１】
2010282515.tif 000023
【図２２】
2010282515.tif 000024
【図２３】
2010282515.tif 000025
【図２４】
2010282515.tif 000026
【図２５】
2010282515.tif 000027
【図２６】
2010282515.tif 000028
【図２７】
2010282515.tif 000029